(57)【要約】【課題】排出口から被処理物を効率よく排出することが可能な多重円板型脱水機を提供する。【解決手段】この多重円板型脱水機１００は、回転軸２１と、回転軸２１の軸方向に沿って積層された複数のろ片（中径円板ろ片２２、小径円板ろ片２３、大径円板ろ片２４）を有し、ろ片間にろ過溝Ｇが形成された積層状回転ろ体２０とを含み、上下２列で隣接して設けられる複数の回転体２と、回転軸２１の軸方向において、積層状回転ろ体２０を挟むように設けられる一対の側板１１を含む処理槽１と、ろ片の最大直径よりも大きな直径を有し、回転体２とともに回転可能なように側板１１と積層状回転ろ体２０との間に設けられる円板部材６とを備える。【選択図】図１
2020018972.tif 000002
【特許請求の範囲】
【請求項１】
回転軸と、前記回転軸の軸方向に沿って積層された複数のろ片を有し、前記ろ片間にろ過溝が形成された積層状回転ろ体とを含み、上下２列で隣接して設けられる複数の回転体と、
前記回転軸の軸方向において、前記積層状回転ろ体を挟むように設けられる一対の側板を含む処理槽と、
前記ろ片の最大直径よりも大きな直径を有し、前記回転体とともに回転可能なように前記側板と前記積層状回転ろ体との間に設けられる円板部材とを備える、多重円板型脱水機。
【請求項２】
前記円板部材は、前記回転軸の軸方向において、前記積層状回転ろ体の両側にそれぞれ設けられている、請求項１に記載の多重円板型脱水機。
【請求項３】
前記ろ片は、複数の小径円板ろ片と、前記小径円板ろ片よりも大きな直径を有する複数の中径円板ろ片と、前記中径円板ろ片よりも大きな直径を有する複数の大径円板ろ片とを有し、
前記円板部材は、前記大径円板ろ片よりも大きな直径を有している、請求項１または２に記載の多重円板型脱水機。
【請求項４】
前記回転体は、被処理物の供給口側から排出口側に向けて上下２列で複数設けられており、軸方向から見て、列ごとに互いに重なり合うように隣接して配置され、
前記円板部材は、上下２列の列ごとに隣接する前記複数の回転体に対して、少なくとも、１つおきに設けられている、請求項１〜３のいずれか１項に記載の多重円板型脱水機。
【請求項５】
前記側板と前記円板部材との間には、前記側板と前記円板部材との両方に接触し、前記円板部材および前記ろ片よりも小さな直径を有するスペーサ部材が設けられている、請求項１〜４のいずれか１項に記載の多重円板型脱水機。
【請求項６】
前記円板部材は、下列の前記複数の回転体のうち被処理物の固体成分を送る方向の最上流の前記回転体と最下流の前記回転体との間に位置する前記回転体に設けられているとともに、上列の前記複数の回転体のうち最下流の前記回転体よりも上流側に位置する前記回転体に設けられている、請求項１〜５のいずれか１項に記載の多重円板型脱水機。
【請求項７】
前記円板部材の半径は、隣接する前記回転体の回転中心軸線間の距離から前記回転軸の半径を差し引いた値よりも小さい、請求項１〜６のいずれか１項に記載の多重円板型脱水機。
【発明の詳細な説明】
【技術分野】
【０００１】
この発明は、多重円板型脱水機に関し、特に、複数の積層状回転ろ体を備える多重円板型脱水機に関する。
【背景技術】
【０００２】
従来、積層状回転ろ体を備える多重円板型脱水機が知られている（たとえば、特許文献１参照）。
【０００３】
上記特許文献１には、回転軸および積層状回転ろ体を含む複数の回転体と、回転軸の軸方向において、積層状回転ろ体を挟むように設けられる一対の側板を含む処理槽とを備える多重円板型脱水機が開示されている。多重円板型脱水機は、処理槽内で、積層状回転ろ体により汚泥（被処理物）の脱水を行い排出口から水分を除去された脱水汚泥（脱水ケーキ）を排出するように構成されている。
【先行技術文献】
【特許文献】
【０００４】
【特許文献１】特開平１０−１３７７９５号公報
【発明の概要】
【発明が解決しようとする課題】
【０００５】
しかしながら、上記特許文献１のような多重円板型脱水機では、すべり性の悪い被処理物の脱水処理を行う場合、被処理物が処理槽の一対の側板と接触することにより、回転軸の軸方向の外側の被処理物に対して摩擦力（ブレーキ）が加わることに起因して、軸方向における中央部分と比較して、一対の側板の近傍部分では、排出口からの被処理物（脱水ケーキ）の排出量が少なくなるという不都合がある。このため、被処理物が排出口の軸方向において均等に排出されないため、排出口から被処理物が効率よく排出されないという問題点がある。
【０００６】
この発明は、上記のような課題を解決するためになされたものであり、この発明の１つの目的は、排出口から被処理物を効率よく排出することが可能な多重円板型脱水機を提供することである。
【課題を解決するための手段】
【０００７】
この発明の一の局面による多重円板型脱水機は、回転軸と、回転軸の軸方向に沿って積層された複数のろ片を有し、ろ片間にろ過溝が形成された積層状回転ろ体とを含み、上下２列で隣接して設けられる複数の回転体と、回転軸の軸方向において、積層状回転ろ体を挟むように設けられる一対の側板を含む処理槽と、ろ片の最大直径よりも大きな直径を有し、回転体とともに回転可能なように側板と積層状回転ろ体との間に設けられる円板部材とを備える。
【０００８】
この発明の一の局面による多重円板型脱水機では、上記のように、円板部材が回転体とともに回転することにより、側板付近の被処理物を排出口に向けて送ることができる。また、円板部材はろ片の最大直径よりも大きな直径を有するので、円板部材はろ片よりも被処理物に対して大きく食い込いこませて被処理物に対する推進力を生む面積を広く確保することができ、円板部材が配置される側板近傍において、ろ片よりも大きい推進力を被処理物に与えることができる。以上の結果、被処理物に対して摩擦力（ブレーキ）が大きく生じる回転軸の軸方向の外側において、被処理物に大きい推進力を与えることにより、回転軸の軸方向における被処理物の送り量を均等化して排出口から排出することができるので、排出口から被処理物（脱水ケーキ）を効率よく排出することができる。
【０００９】
上記一の局面による多重円板型脱水機において、好ましくは、円板部材は、回転軸の軸方向において、積層状回転ろ体の両側にそれぞれ設けられている。このように構成すれば、積層状回転ろ体の両側で、側板付近の被処理物を効果的に排出口に向けて送ることができる。その結果、排出口から被処理物（脱水ケーキ）をより効率よく排出することができる。
【００１０】
上記一の局面による多重円板型脱水機において、好ましくは、ろ片は、複数の小径円板ろ片と、小径円板ろ片よりも大きな直径を有する複数の中径円板ろ片と、中径円板ろ片よりも大きな直径を有する複数の大径円板ろ片とを有し、円板部材は、大径円板ろ片よりも大きな直径を有している。このように構成すれば、円板部材は大径円板ろ片の直径よりも大きな直径を有するので、円板部材は大径円板ろ片よりも被処理物に対して大きく食い込いこませて被処理物に対する推進力を生む面積を広く確保することができ、円板部材が配置される側板近傍において、大径円板ろ片よりも大きい力で被処理物を搬送することができる。これにより、被処理物に対して摩擦力（ブレーキ）が大きく生じる回転軸の軸方向の外側において、被処理物に大きい推進力を与えることができるので、排出口から被処理物（脱水ケーキ）をより効率よく排出することができる。
【００１１】
上記一の局面による多重円板型脱水機において、好ましくは、回転体は、被処理物の供給口側から排出口側に向けて上下２列で複数設けられており、軸方向から見て、列ごとに互いに重なり合うように隣接して配置され、円板部材は、上下２列の列ごとに隣接する複数の回転体に対して、少なくとも、１つおきに設けられている。このように構成すれば、複数の円板部材を、回転軸の軸方向に直交する方向において互いに干渉することなく配置することができる。
【００１２】
上記一の局面による多重円板型脱水機において、好ましくは、側板と円板部材との間には、側板と円板部材との両方に接触し、円板部材およびろ片よりも小さな直径を有するスペーサ部材が設けられている。このように構成すれば、スペーサ部材を設けることなく側板（側板の内表面）と円板部材とを直接接触させた場合の回転体に掛かる抵抗（側板と円板部材との間の摩擦により回転体に掛かる力）と比較して、回転体に掛かる抵抗（円板部材とスペーサ部材との間、または、側板とスペーサ部材との間の摩擦により回転体に掛かる力）を低減することができる。
【００１３】
上記一の局面による多重円板型脱水機において、好ましくは、円板部材は、下列の複数の回転体のうち被処理物の固体成分を送る方向の最上流の回転体と最下流の回転体との間に位置する回転体に設けられているとともに、上列の複数の回転体のうち最下流の回転体よりも上流側に位置する回転体に設けられている。ここで、一般的な多重円板型脱水機では、上下列の最下流の回転体にはそれぞれスクレイパー（回転体から固形物を掻き取る部材）が設けられ、下列の最上流の回転体にはシール部材（回転体と処理槽の内表面との間の隙間を埋める部材）が設けられている。このような多重円板型脱水機において、上記のように構成すれば、円板部材と、スクレイパーおよびシール部材とが互いに干渉するのを回避することができる。
【００１４】
上記一の局面による多重円板型脱水機において、好ましくは、円板部材の半径は、隣接する回転体の回転中心軸線間の距離から回転軸の半径を差し引いた値よりも小さい。このように構成すれば、円板部材が、隣接する回転体の回転軸に干渉するのを防止することができる。
【発明の効果】
【００１５】
本発明によれば、上記のように、排出口から被処理物を効率よく排出することが可能な多重円板型脱水機を提供することができる。
【図面の簡単な説明】
【００１６】
【図１】本発明の一実施形態による多重円板型脱水機を斜め上方から見た断面図である。
【図２】本発明の一実施形態による多重円板型脱水機を側方から見た断面図である。
【図３】本発明の一実施形態による多重円板型脱水機の積層状回転ろ体と円板部材と一対の側板とを拡大して示した断面図である。
【図４】本発明の一実施形態による多重円板型脱水機の積層状回転ろ体および円板部材の分解斜視図である。
【発明を実施するための形態】
【００１７】
以下、本発明の実施形態を図面に基づいて説明する。
【００１８】
（多重円板型脱水機の構成）
図１〜図４を参照して、本発明の一実施形態による多重円板型脱水機１００について説明する。
【００１９】
図１に示す多重円板型脱水機１００は、供給された被処理物（原液）を、固体成分と液体成分とに分離するように構成されている。また、多重円板型脱水機１００は、分離した液体成分を処理槽１の下部に設けられたろ液貯留部（図示せず）に貯留するように構成されている。
【００２０】
多重円板型脱水機１００は、図１に示すように、処理槽１と、複数の回転体２と、シール部材３と、スクレイパー（掻き取り板）４と、排出シュート５と、円板部材６とを備えている。
【００２１】
処理槽１は、腐食しにくい材料により形成されている。たとえば、処理槽１は、ステンレス材料により形成されている。処理槽１は、直方体形状を有している。処理槽１は、互いに水平方向に対向する一対の側板１０と、一対の側板１１（図１および図２では、一対の側板１１のうち一方のみを示している）とを含んでいる。一対の側板１０の一方には、被処理物（原液）の供給口１０ａが設けられ、一対の側板１０の他方には、被処理物（脱水ケーキ）の排出口１０ｂが設けられている。
【００２２】
以下では、水平方向のうち一対の側板１０が並ぶ方向（供給口１０ａと排出口１０ｂとが並ぶ方向）をＸ方向とし、水平方向のうちＸ方向に直交する方向（一対の側板１１が並ぶ方向）をＹ方向とする。なお、Ｙ方向は、後述する回転軸２１の軸方向でもある。Ｘ方向のうち、供給口１０ａから排出口１０ｂに向かう方向をＸ１方向とし、その逆方向をＸ２方向とする。また、上下方向をＺ方向とする。
【００２３】
回転体２は、被処理物の供給口１０ａ側から排出口１０ｂ側に向けて上下２列で複数設けられている。具体的には、回転体２は、下列に８個、上列に６個の合計１４個が配置されている。
【００２４】
図２に示すように、回転体２は、後述する回転軸２１の軸方向（Ｙ方向）から見て、列ごとに互いに重なり合うように隣接して配置されている。上列の回転体２と、下列の回転体２との間の上下（Ｚ方向）の間隔は、供給口１０ａ側から排出口１０ｂ側（Ｘ２方向）に向かうにしたがって狭くなるように構成されている。上列および下列の回転体２は、それぞれ、供給口１０ａ側から排出口１０ｂ側（Ｘ２方向）に向かうにつれて斜め上方に傾斜するように配置されている。
【００２５】
また、下列の複数の回転体２は、所定の間隔を隔てて配置されており、互いに同じ方向（図２において時計回り）に回転することにより、固体成分を搬送するように構成されている。また、上列の複数の回転体２は、所定の間隔を隔てて配置されており、互いに同じ方向（図２において反時計回り）に回転することにより、固体成分を搬送するように構成されている。
【００２６】
回転体２は、積層状回転ろ体２０と、Ｙ方向に延びる回転軸２１とを含んでいる。積層状回転ろ体２０と回転軸２１とには、それぞれ、キー溝が設けられている。積層状回転ろ体２０と回転軸２１とは、キー溝に嵌め込まれるキー（係合部材）により互いに同期して回転するように構成されている。回転軸２１は、一対の側板１１を貫通し、処理槽１の外側で軸受により支持されている。回転軸２１の端部には、回転体２に駆動力（トルク）を付与するモータ（図示せず）が設けられている。
【００２７】
図３に示すように、積層状回転ろ体２０は、複数の中径円板ろ片２２と、複数の小径円板ろ片２３と、複数の大径円板ろ片２４と含んでいる。中径円板ろ片２２は、小径円板ろ片２３の直径ｄ１よりも大きな直径ｄ２を有している（ｄ１＜ｄ２）。また、大径円板ろ片２４は、中径円板ろ片２２の直径ｄ２よりも大きな直径ｄ３を有している（ｄ２＜ｄ３）。中径円板ろ片２２は、樹脂材料により形成されている。小径円板ろ片２３および大径円板ろ片２４は、金属材料により形成されている。なお、中径円板ろ片２２、小径円板ろ片２３および大径円板ろ片２４は、それぞれ、特許請求の範囲の「ろ片」の一例である。
【００２８】
積層状回転ろ体２０の中で最も大きな直径を有する大径円板ろ片２４が被処理物に食い込んだ状態で、回転軸２１の回転と同期して回転することにより、被処理物を排出口１０ｂへ搬送することができる。
【００２９】
積層状回転ろ体２０は、Ｙ方向に互いに接触状態で並ぶ複数の中径円板ろ片２２間に、大径円板ろ片２４および小径円板ろ片２３を交互に配置（積層）することにより構成されている。積層状回転ろ体２０は、回転軸２１の軸方向（Ｙ方向）に沿って積層されたろ片（中径円板ろ片２２、小径円板ろ片２３、大径円板ろ片２４）間にろ過溝（隙間）Ｇが形成されている。
【００３０】
詳細には、図４に示すように、中径円板ろ片２２には、一方表面および他方表面に、それぞれ、Ｙ方向に突出する複数の凸部２２ａおよび複数の凸部２２ｂが設けられている。複数の凸部２２ａおよび複数の凸部２２ｂは、それぞれ、中径円板ろ片２２の周方向に略等角度間隔（９０度間隔）で設けられている。なお、凸部２２ａの突出量は、凸部２２ｂの突出量と比較して十分に大きい。隣接する中径円板ろ片２２間には、凸部２２ａおよび凸部２２ｂが互いに当接して小径円板ろ片２３または大径円板ろ片２４が配置される隙間が形成されている。そして、Ｙ方向において、中径円板ろ片２２と小径円板ろ片２３との間、および、中径円板ろ片２２と大径円板ろ片２４との間には、それぞれ、ろ液を排出するろ過溝Ｇ（隙間）（図３参照）が形成されている。
【００３１】
小径円板ろ片２３には、凸部２２ａおよび凸部２２ｂに係合する複数の切欠部２３ａが外周部に設けられている。複数の切欠部２３ａは、小径円板ろ片２３の周方向に略等角度間隔（９０度間隔）で設けられている。小径円板ろ片２３の厚みは、凸部２２ａの突出量よりも小さい。このため、小径円板ろ片２３は、凸部２２ａおよび凸部２２ｂに係合した状態で、回転軸２１の軸方向（Ｙ方向）に揺動可能に構成されている。
【００３２】
大径円板ろ片２４には、凸部２２ａおよび凸部２２ｂに嵌合する複数の貫通穴２４ａが設けられている。複数の貫通穴２４ａは、大径円板ろ片２４の周方向に略等角度間隔（９０度間隔）で設けられている。大径円板ろ片２４の厚みは、凸部２２ａの突出量よりも小さい。このため、大径円板ろ片２４は、凸部２２ａおよび凸部２２ｂに係合した状態で、回転軸２１の軸方向（Ｙ方向）に揺動可能に構成されている。大径円板ろ片２４は、小径円板ろ片２３と略同じ厚みを有している。
【００３３】
図２に示すように、シール部材３は、処理槽１の供給口１０ａが設けられた側板１０の内表面と、下列の最上流の回転体２との間の隙間を埋めるように設けられている。このシール部材３により、多重円板型脱水機１００は、供給口１０ａから供給された被処理物（固分を多く含む被処理物）が、そのまま、ろ液貯留部（図示せず）に流出するのを防止している。
【００３４】
スクレイパー４は、処理槽１の排出口１０ｂが設けられた側板１０と下列の最下流の回転体２との間、および、処理槽１の排出口１０ｂが設けられた側板１０と上列の最下流の回転体２との間に、それぞれ設けられている。スクレイパー４は、最下流の積層状回転ろ体２０に詰まった固形物を掻き取るように構成されている。
【００３５】
排出シュート５は、排出口１０ｂに設けられ、処理槽１から排出された被処理物（脱水ケーキ）の排出経路を構成している。排出シュート５は、処理槽１側から斜め下方に傾斜しており、ホッパー（図示せず）などに被処理物（脱水ケーキ）を送る（導く）ように構成されている。排出シュート５には、排出口１０ｂから排出された被処理物（脱水ケーキ）を加圧するためのフラッパー５１およびフラッパー加圧ネジ５２が設けられている。
【００３６】
（円板部材の構成）
図４に示すように、円板部材６は、小径円板ろ片２３および大径円板ろ片２４と同様に金属材料により形成されている。円板部材６は、Ｙ方向を厚み方向とする板状の円環形状を有している。円板部材６には、回転軸２１が挿通されるように構成されている。円板部材６には、キー溝６ａが複数（４個）設けられている。円板部材６は、キー溝６ａ（４個のうちのいずれか１個のキー溝）に嵌め込まれるキー（係合部材）により回転軸２１（積層状回転ろ体２０）と同期して、回転軸２１とともに回転可能なように構成されている。
【００３７】
図３に示すように、円板部材６は、ろ片（中径円板ろ片２２、小径円板ろ片２３、大径円板ろ片２４）の最大直径よりも大きな直径を有している。すなわち、円板部材６は、大径円板ろ片２４の直径ｄ３よりも大きな直径ｄを有している（ｄ３＜ｄ）。一例ではあるが、中径円板ろ片２２の直径が１０６ｍｍ、大径円板ろ片２４の直径が１２９ｍｍ、隣接する回転体２の回転軸２１間隔（回転軸２１の外表面と、隣接する他の回転軸２１の外表面との間の間隔）が１０６ｍｍである場合に、円板部材６の直径は最大で１５６ｍｍとなる。円板部材６は、小径円板ろ片２３および大径円板ろ片２４と略同じ厚みを有している。
【００３８】
円板部材６は、大径円板ろ片２４よりも大きい直径を有しているため、被処理物に対して大径円板ろ片よりも大きく食い込ませて、被処理物に対する推進力を生む面積を広く確保することができる。その結果、円板部材６は大径円板ろ片２４よりも大きい力で被処理物を搬送することができる。
【００３９】
円板部材６の半径（ｄ／２）は、隣接する２個の回転体２の回転中心軸線α間の距離Ｄ（図２参照）から回転軸２１の半径Ｒ（図２参照）を差し引いた値よりも小さい（ｄ／２＜Ｄ−Ｒ）。詳細には、円板部材６の半径は、距離Ｄから半径Ｒを差し引いた値から、さらに、回転軸２１のキー溝に嵌め込まれるキー（係合部材）の大きさを差し引いた値と略同じ（キー（係合部材）の大きさを差し引いた値よりも僅かに小さい値）である。
【００４０】
円板部材６は、積層状回転ろ体２０と側板１１との間に設けられている。円板部材６は、回転軸２１の軸方向（Ｙ方向）において、積層状回転ろ体２０の両側にそれぞれ設けられている。円板部材６は、中径円板ろ片２２の凸部２２ａまたは凸部２２ｂの端面に接触した状態で設けられている。円板部材６は、上下２列の列ごとに互いに重なり合うように隣接する複数の回転体２に対して、１つおきに設けられている。
【００４１】
ただし、円板部材６は、下列の複数の回転体２のうち被処理物の固体成分を送る方向の最上流の回転体２と最下流の回転体２との間に位置する回転体２に設けられている。すなわち、円板部材６は、下列の複数の回転体２のうち最上流および最下流の回転体２には設けられていない。これは、下列の回転体２に設けられる円板部材６と、シール部材３（図２参照）およびスクレイパー４（図２参照）とが干渉するのを回避するためである。
【００４２】
また、円板部材６は、上列の複数の回転体２のうち最下流の回転体２よりも上流側に位置する回転体２に設けられている。すなわち、円板部材６は、上列の複数の回転体２のうち最下流の回転体２には設けられていない。これは、上列の回転体２に設けられる円板部材６と、スクレイパー４とが干渉するのを回避するためである。
【００４３】
具体的には、円板部材６は、上列の複数（６個）の回転体２のうち最下流側から数えて２番目、４番目、６番目の回転体２にそれぞれ設けられている。また、円板部材６は、下列の複数（８個）の回転体２のうち最下流側から数えて２番目、４番目、６番目の回転体２にそれぞれ設けられている。なお、多重円板型脱水機１００に設けられている複数の円板部材６は、互いに同一の直径を有している。
【００４４】
側板１１と円板部材６との間には、側板１１と円板部材６との両方に接触し、円板部材６（直径ｄ）およびろ片（小径円板ろ片２３の直径ｄ１、中径円板ろ片２２の直径ｄ２、大径円板ろ片２４の直径ｄ３）よりも小さな直径ｄ０を有する円環形状のスペーサ部材７が設けられている（ｄ０＜ｄ１＜ｄ２＜ｄ３）。
【００４５】
スペーサ部材７は、円板部材６と略同じ厚み、または、円板部材６よりも小さな厚みを有している。すなわち、スペーサ部材７を設けることで、円板部材６と側板１１との間に被処理物が侵入しやすくなることがない程度の所定の厚みを、スペーサ部材７は有している。
【００４６】
（本実施形態の効果）
本実施形態では、以下のような効果を得ることができる。
【００４７】
本実施形態では、上記のように、円板部材６が回転体２とともに回転することにより、側板１１付近の被処理物を排出口１０ｂに向けて送ることができる。また、円板部材６はろ片（中径円板ろ片２２、小径円板ろ片２３、大径円板ろ片２４）の最大直径よりも大きな直径を有するので、円板部材６はろ片よりも被処理物に対して大きく食い込いこませて被処理物に対する推進力を生む面積を広く確保することができ、円板部材６が配置される側板１１近傍において、ろ片よりも大きい推進力を被処理物に与えることができる。以上の結果、被処理物に対して摩擦力（ブレーキ）が大きく生じる回転軸２１の軸方向の外側において、被処理物に大きい推進力を与えることにより、回転軸２１の軸方向における被処理物の送り量を均等化して排出口１０ｂから排出することができるので、排出口１０ｂから被処理物（脱水ケーキ）を効率よく排出することができる。
【００４８】
また、本実施形態では、上記のように、円板部材６は、回転軸２１の軸方向において、積層状回転ろ体２０の両側にそれぞれ設けられている。これにより、積層状回転ろ体２０の両側で、側板１１付近の被処理物を効果的に排出口１０ｂに向けて送ることができる。その結果、排出口１０ｂから被処理物（脱水ケーキ）をより効率よく排出することができる。
【００４９】
また、本実施形態では、上記のように、ろ片は、複数の小径円板ろ片２３と、小径円板ろ片２３よりも大きな直径を有する複数の中径円板ろ片２２と、中径円板ろ片２２よりも大きな直径を有する複数の大径円板ろ片２４とを有し、円板部材６は、大径円板ろ片２４よりも大きな直径を有している。これにより、円板部材６は大径円板ろ片２４の直径よりも大きな直径を有するので、円板部材６は大径円板ろ片２４よりも被処理物に対して大きく食い込いこませて被処理物に対する推進力を生む面積を広く確保することができ、円板部材６が配置される側板１１近傍において、大径円板ろ片２４よりも大きい力で被処理物を搬送することができる。その結果、被処理物に対して摩擦力（ブレーキ）が大きく生じる回転軸２１の軸方向の外側において、被処理物に大きい推進力を与えることができるので、排出口１０ｂから被処理物（脱水ケーキ）をより効率よく排出することができる。
【００５０】
また、本実施形態では、上記のように、回転体２は、被処理物の供給口１０ａ側から排出口１０ｂ側に向けて上下２列で複数設けられており、軸方向から見て、列ごとに互いに重なり合うように隣接して配置され、円板部材６は、上下２列の列ごとに隣接する複数の回転体２に対して、少なくとも、１つおきに設けられている。これにより、複数の円板部材６を、回転軸２１の軸方向に直交する方向において互いに干渉することなく配置することができる。
【００５１】
また、本実施形態では、上記のように、側板１１と円板部材６との間には、側板１１と円板部材６との両方に接触し、円板部材６および小径円板ろ片２３よりも小さな直径を有するスペーサ部材７が設けられている。これにより、スペーサ部材７を設けることなく側板１１（側板１１の内表面）と円板部材６とを直接接触させた場合の回転体２に掛かる抵抗（側板１１と円板部材６との間の摩擦により回転体２に掛かる力）と比較して、回転体２に掛かる抵抗（円板部材６とスペーサ部材７との間、または、側板１１とスペーサ部材７との間の摩擦により回転体２に掛かる力）を低減することができる。
【００５２】
また、本実施形態では、上記のように、円板部材６は、下列の複数の回転体２のうち被処理物の固体成分を送る方向の最上流の回転体２と最下流の回転体２との間に位置する回転体２に設けられているとともに、上列の複数の回転体２のうち最下流の回転体２よりも上流側に位置する回転体２に設けられている。ここで、一般的な多重円板型脱水機では、上下列の最下流の回転体にはそれぞれスクレイパー（回転体から固形物を掻き取る部材）が設けられ、下列の最上流の回転体にはシール部材（回転体と処理槽の内表面との間の隙間を埋める部材）が設けられている。これにより、円板部材６と、スクレイパー４およびシール部材３とが互いに干渉するのを回避することができる。
【００５３】
また、本実施形態では、上記のように、円板部材６の半径は、隣接する回転体２の回転中心軸線間の距離から回転軸２１の半径を差し引いた値よりも小さい。これにより、円板部材６が、隣接する回転体２の回転軸２１に干渉するのを防止することができる。
【００５４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５５】
たとえば、上記実施形態では、複数の回転体のうちの一部に円板部材を設けた例を示したが本発明はこれに限らない。本発明では、すべての回転体に円板部材を設けてもよい。また、上記実施形態で示した回転体とは異なる回転体に円板部材を設けてもよい。ただし、上列（下列）の最下流の回転体に円板部材を設ける場合には、円板部材とスクレイパーとの干渉回避のために、スクレイパーの形状変更などが必要となる。また、下列の最上流の回転体に円板部材を設ける場合には、円板部材とシール部材との干渉回避のために、シール部材の形状変更などが必要となる。
【００５６】
また、上記実施形態では、回転軸の軸方向において積層状回転ろ体の両側に円板部材を設けた例を示したが本発明はこれに限らない。本発明では、回転軸の軸方向において積層状回転ろ体の内側にも円板部材を設けてもよい。また、回転軸の軸方向において積層状回転ろ体の一方側のみに円板部材を設けてもよい。
【００５７】
また、上記実施形態では、上列の回転体の数を６個、下列の回転体の数を８個とした例を示したが本発明はこれに限らない。本発明では、上列の回転体の数を６個以外の複数個としてもよい。また、下列の回転体の数を８個以外の複数個としてもよい。
【００５８】
また、上記実施形態では、多重円板型脱水機に設けられている複数の円板部材を、互いに同一の直径を有するように形成した例を示したが本発明はこれに限らない。本発明では、多重円板型脱水機に設けられている複数の円板部材を、互いに異なる直径を有するように形成してもよい。
【００５９】
また、上記実施形態では、円板部材を金属材料により形成した例を示したが本発明はこれに限らない。本発明では、円板部材を樹脂材料などの金属材料以外の材料により形成してもよい。
【００６０】
また、上記実施形態では、側板と円板部材との間には、側板と円板部材との両方に接触するスペーサ部材を設けた例を示したが本発明はこれに限らない。本発明では、スペーサ部材を設けることなく、側板と円板部材とを直接接触させた状態で配置してもよい。
【００６１】
また、上記実施形態では、円板部材を、小径円板ろ片および大径円板ろ片と略同じ厚みに形成した例を示したが本発明はこれに限らない。本発明では、円板部材を、小径円板ろ片および大径円板ろ片よりも小さい厚みまたは大きい厚みに形成してもよい。
【符号の説明】
【００６２】
１  処理槽
２  回転体
６  円板部材
７  スペーサ部材
１０ａ  供給口
１０ｂ  排出口
１１  側板
２０  積層状回転ろ体
２１  回転軸
２２  中径円板ろ片（ろ片）
２３  小径円板ろ片（ろ片）
２４  大径円板ろ片（ろ片）
１００  多重円板型脱水機
Ｇ  ろ過溝
【図１】
2020018972.tif 000003
【図２】
2020018972.tif 000004
【図３】
2020018972.tif 000005
【図４】
2020018972.tif 000006